【手続補正書】
【提出日】平成19年7月24日(2007.7.24)
【手続補正１】
【補正対象書類名】明細書
【補正対象項目名】発明の名称
【補正方法】変更
【補正の内容】
【発明の名称】オートフォーカス装置およびオートフォーカス付き顕微鏡
【手続補正２】
【補正対象書類名】明細書
【補正対象項目名】特許請求の範囲
【補正方法】変更
【補正の内容】
【特許請求の範囲】
【請求項１】
光源と、
前記光源からの光に基づく光像を対物レンズを通して対象物上に結像させるフォーカス用照明光学系と、
前記対象物からの前記光像の反射光を前記対物レンズを通して受けて前記光像の反射像を結像させるフォーカス用結像光学系と、
前記フォーカス用結像光学系による前記反射像の結像位置に設けられて前記反射像を検出する光電変換器と、
前記光電変換器で得られた前記反射像の信号に基づいてフォーカスアクチュエータの作動を制御する信号を出力する信号出力手段と、
前記光像及び前記反射像のいずれか一方または両方の結像位置を光軸方向に移動させる調節を行う結像位置調節手段とを有し、
前記結像位置調節手段は、凸レンズ及び凹レンズから構成され、前記両レンズ間の間隔を調節することで、前記対物レンズを含む観察光学系の結像位置と前記フォーカス用照明光学系の結像位置とのオフセット量を調節できることを特徴とするオートフォーカス装置。
【請求項２】
前記結像位置調節手段は、前記凸レンズ及び前記凹レンズの少なくともいずれか一方を移動することを特徴とする請求項１に記載のオートフォーカス装置。
【請求項３】
前記結像位置調節手段は、前記フォーカス用照明光学系と前記フォーカス用結像光学系との共通光路上に配設されるか、または前記両光学系の一方のみの光路上に配設されていることを特徴とする請求項１または２に記載のオートフォーカス装置。
【請求項４】
前記フォーカス用照明光学系と前記フォーカス用結像光学系との共通光路、または前記両光学系の一方の光路は、前記両光学系と前記対物レンズとの間の平行光束を形成する光路であることを特徴とする請求項３のいずれかに記載のオートフォーカス装置。
【請求項５】
対象物を観察する対物レンズを有する顕微鏡において、
フォーカス用光源と、
前記フォーカス用光源からの光に基づく光像を、前記対物レンズを通して前記対象物上に結像させるために、前記フォーカス用光源を集光し、平行光束に変換して前記対物レンズに導くコレクタレンズと、
前記対物レンズが集光し、平行光束で射出した前記対象物からの前記光像の反射光を結像させるフォーカス用第２対物レンズと、
前記フォーカス用第２対物レンズによる前記反射像の結像位置に設けられて前記反射像を検出する光電変換器と、
前記コレクタレンズ及び前記フォーカス用第２対物レンズと、前記対物レンズとの間の共通光路の平行光束中に配置され、前記フォーカス用光源からの光像と前記光電変換器で検出される前記反射像とを分離するハーフミラーと、
前記コレクタレンズ及び前記フォーカス用第２対物レンズと、前記対物レンズとの間の平行光束中に配置され、前記光像及び前記反射像のいずれか一方または両方の結像位置を光軸方向に移動させる調節を行う結像位置調節手段とを有したことを特徴とする顕微鏡。
【請求項６】
前記結像位置調節手段が、凸レンズと凹レンズとから構成され、
前記一方のレンズが光軸上に固定され、前記他方のレンズが光軸上に沿って移動可能に配置されることを特徴とする請求項５に記載の顕微鏡。
【請求項７】
前記結像位置調節手段が、凸レンズと凹レンズとから構成され、
前記レンズを交換するレンズ交換手段を有することを特徴とする請求項５に記載の顕微鏡。
【手続補正３】
【補正対象書類名】明細書
【補正対象項目名】０００８
【補正方法】変更
【補正の内容】
【０００８】
【課題を解決するための手段】
前記課題を解決するために本発明に係るオートフォーカス装置は、光源（例えば、実施形態におけるＬＥＤ光源２０）と、この光源からの光に基づく光像を対物レンズ（例えば、実施形態における第１対物レンズ１２）を通して対象物（例えば、実施形態における標本１８）上に結像させるフォーカス用照明光学系と、対象物からの光像の反射光を対物レンズを通して受けて光像の反射像を結像させるフォーカス用結像光学系と、フォーカス用結像光学系による反射像の結像位置に設けられて反射像を検出する光電変換器（例えば、実施形態におけるオートフォーカス用ＣＣＤセンサ３０）と、光電変換器で得られた反射像の信号に基づいてフォーカスアクチュエータ（例えば、実施形態におけるステージ駆動部３４）の作動を制御する信号を出力する信号出力手段（例えば、実施形態におけるオートフォーカス用信号処理部３１）と、光像及び反射像のいずれか一方または両方の結像位置を光軸方向に移動させて調節を行う結像位置調節手段（例えば、実施形態における焦点位置調節レンズ８）とを有して構成され、この結像位置調節手段は、凸レンズ及び凹レンズから構成され、これら両レンズ間の間隔を調節することで、対物レンズを含む観察光学系の結像位置とフォーカス用照明光学系の結像位置とのオフセット量を調節できるように構成される。
【手続補正４】
【補正対象書類名】明細書
【補正対象項目名】０００９
【補正方法】変更
【補正の内容】
【０００９】
このオートフォーカス装置において、結像位置調節手段は、凸レンズ及び凹レンズの少なくともいずれか一方を移動するように構成されるのが好ましい。
【手続補正５】
【補正対象書類名】明細書
【補正対象項目名】００１１
【補正方法】変更
【補正の内容】
【００１１】
また、フォーカス用照明光学系とフォーカス用結像光学系との共通光路、または両光学系の一方の光路は、両光学系と対物レンズとの間の平行光束を形成する光路であることが好ましい。
【手続補正６】
【補正対象書類名】明細書
【補正対象項目名】００１２
【補正方法】変更
【補正の内容】
【００１２】
また、本発明に係る対象物を観察する対物レンズを有する顕微鏡は、フォーカス用光源と、このフォーカス用光源からの光に基づく光像を、対物レンズを通して対象物上に結像させるために、フォーカス用光源を集光し、平行光束に変換して対物レンズに導くコレクタレンズと、対物レンズが集光し、平行光束で射出した対象物からの光像の反射光を結像させるフォーカス用第２対物レンズと、フォーカス用第２対物レンズによる反射像の結像位置に設けられて反射像を検出する光電変換器と、コレクタレンズ及びフォーカス用第２対物レンズと、対物レンズとの間の共通光路の平行光束中に配置され、フォーカス用光源からの光像と光電変換器で検出される反射像とを分離するハーフミラーと、コレクタレンズ及びフォーカス用第２対物レンズと、対物レンズとの間の平行光束中に配置され、光像及び反射像のいずれか一方または両方の結像位置を光軸方向に移動させる調節を行う結像位置調節手段とを有して構成される。
【手続補正７】
【補正対象書類名】明細書
【補正対象項目名】００１３
【補正方法】変更
【補正の内容】
【００１３】
この顕微鏡において、結像位置調節手段が、凸レンズと凹レンズとから構成され、一方のレンズが光軸上に固定され、他方のレンズが光軸上に沿って移動可能に配置されるて構成されるのが好ましい。
【手続補正８】
【補正対象書類名】明細書
【補正対象項目名】００１４
【補正方法】変更
【補正の内容】
【００１４】
上記顕微鏡において、結像位置調節手段が、凸レンズと凹レンズとから構成され、レンズを交換するレンズ交換手段を有するのが好ましい。